(57)【要約】【課題】本考案は、和室の開口枠組構造における１対の縦枠の垂直度と、引違い建具の縦桟の垂直度とに狂いがあっても、その縦方向の透き間が目視されない建具の建て付け構造を提供するものである。【解決手段】本考案は開口枠組の縦枠か引き違い建具の縦桟どちらか、もしくは両方に同系色の特殊構造の軟質塩ビパッキンを取り付けることで、枠と建具縦方向の接触面の透き間を隠す事ができる。従来は枠と建具の縦方向の透き間は建具職人に高い費用を支払って調整していたが、戸当りパッキンは、両面テープで取り付けるだけで誰でも簡単に透き間を隠す事が出来、両面テープで取り付け後にタッカーで止め固定する。【選択図】図１
0003153087.tif 000002
【実用新案登録請求の範囲】
【請求項１】
和室の開口枠組構造における一対の立枠に、それぞれ開口部内で対面する側に軟質塩ビパッキンを縦設する構造。
【請求項２】
和室の開口枠組構造における一対の立枠に、それぞれ開口部内で対面する側、及び請求項１の立枠に接する引き違い建具の縦桟にも軟質塩ビパッキンを縦設する構造。
【考案の詳細な説明】
【技術分野】
【０００１】本考案は和室の開口枠組構造における建具の建付け構造に関する。
【背景技術】
【０００２】従来の和室の開口枠組み構造における和建具の建て付けは、大工職人によって完成された開口枠組み構造の１対の縦枠に引戸建具の縦桟を合致させるように建具職人が該建具を現場調整しており、この調整に多くの労力と費用を要し、引戸建具が非常に高いものとなっている。
【考案の開示】
【考案が解決しようとする課題】
【０００３】本考案は、和室の開口枠組構造における１対の縦枠の垂直度と、引戸建具の縦桟の垂直度とに狂いがあっても、その縦方向の接触面の透き間が目視されない建具の建付け構造を提供するものである。
【課題を解決する為の手段】
【０００４】本考案は開口枠組の縦枠か引き違い建具の縦桟どちらか、もしくは両方に同系色の特殊構造の軟質塩ビパッキンを取り付けることで、枠と建具縦方向の接触面の透き間を隠す事ができる。
【考案の効果】
【０００５】従来は枠と建具の縦方向の透き間は建具職人に高い費用を支払って調整していたが、戸当りパッキンは、両面テープで取り付けるだけで誰でも簡単に透き間を隠す事が出来、両面テープで取り付け後にタッカーで止め固定する。
【考案を実施する為の最良の形態】
【０００６】開口枠組みの縦枠と建具の縦桟が接する側の両方に軟質塩ビパッキンを取り付けるときは、開口枠組みの縦枠へは、和室側に寄せて両面テープで貼り付けます。
軟質塩ビパッキンの片側を持ち上げてタッカーで止めるとズレ、剥がれを防止する事ができます。
建具の縦桟へは、縦桟のセンター位置に両面テープで貼り付けます。軟質塩ビパッキンの片側を持ち上げてタッカー止めで固定することでズレ、剥がれを防止することが出来ます。
建具の縦桟のみに取り付けるときは、縦桟の和室側に寄せた位置に両面テープを貼り付けます。
軟質塩ビパッキンの片側を持ち上げてタッカーで止めるとズレ、剥がれを防止する事ができます。
【実施例】
【０００７】以下、添付図面に従って説明する。和室用戸枠として引違い枠、引込枠、引分け枠などがあるが、本発明の第一実施例として和室引違い戸枠について説明する。
第一実施例の和室引違い枠は、図１に示すように鴨居１と、該鴨居１の両端に直角に接合された縦枠４と該縦枠３の鴨居１と平行に接合された敷居２とから成り、８本の長尺木ネジ７で固定された四方形状の枠体、該縦枠３の鴨居１と平行に接合された敷居２とから成り、８本の長尺木ネジ７で固定された四方形状の枠体からなる。
開口枠組みの縦枠３と此の枠に収まる障子や襖や戸襖などの引違い建具５（以下、単に建具６とする。）の縦桟が接する側の両方に軟質塩ビパッキン４が取り付けてある。【０００８】戸当りパッキンの取り付け位置は図２に示すとおり縦枠３と建具５の両方に取り付ける場合は、図５に示す通り、建具側戸当りパッキン８は縦桟のセンター位置に両面テープで貼り付け、縦枠側戸当りパッキン５は和室側に寄せて両面テープで貼り付けます。
他方の該建具５の後端にクリアー戸当り（涙目）７を取り付け、建具の返しの透き間調整を不要化し、且つ強く閉めたときの遮音の効果を出します。
図５に示すとおり、クリアー戸当り（涙目）７は後端縦桟の上下２箇所に貼り付けます。【０００９】戸当りパッキンの取り付け位置は図３に示すとおり建具５のみに取り付ける場合は、建具側戸当りパッキン９は和室側、すなわち襖表面紙９の側に寄せて両面テープで貼り付けます。
戸当りパッキン８の貼り付け位置は図６に示すように和室側すなわち襖表面紙９から約２ｍｍの場所に貼り付けます。【００１０】縦枠３に縦枠側戸当りパッキン４を貼り付ける高さの位置は、光が漏れず、或いは経年変化による垂直度の縦方向に沿う透き間が目視されないよう図７及び図８に示すように鴨居１の厚さプラス１−２ｍｍ、敷居２の厚さプラス１−２ｍｍ長めに透き間無く取り付けます。【００１１】所定の位置に両面テープで貼り付けた後、軟質塩ビパッキンの片側を持ち上げてタッカー１１で止めるとズレ、剥がれ防止をする事ができます。
タッカー１０の位置は、鴨居１及び敷居２から図８に示すとおりそれぞれ２０−３０ｍｍの位置にタッカー止めを行い５００−６００ｍｍの間隔で止める事で半永久的に固定されます。
その際、図９に示すとおり、軟質塩ビパッキングの片方を持ち上げてパッキンのセンターにタッカー１１を打ち込みます。【００１２】開口枠組みの縦枠と建具の縦桟が接する側の両方に軟質塩ビパッキンを取り付けるときの引違い枠構造は図１０の示すとおりとなり、建具の縦桟のみに取り付けるときは、図１１に示したとおりです。
建具４本の引分けの場合は図１２に示すとおりです。【００１３】以上のように、建具５が所定の精度で製作されたものであれば、和室の開口枠組構造における組み立て上、或いは経年変化による垂直度の狂いがあっても縦方向に沿う透き間は目視されず、建具５を何ら調整する事なく、工場生産の状態で外見上見栄え良く建て付ができます。
建具を強く閉めたときでも遮音の効果があり、従来は鉋を使って調整していた建て付けの手間が不要と成り職人でなくても建て付けが可能になった事から、建具の建て付けコストの低減により、和室のコストが大幅に削減が出来ます。
【産業上の利用可能性】
【００１４】本発明は和室の開口枠構造における建具の建て付け構造に関する。
【背景技術】
【００１５】従来の和室開口枠組構造における引戸建具の建て付けは、一対の縦枠に引戸建具の縦桟を合致させるように現場で建具職人が鉋を使って透き間がないように調整しているものであり、この調製に多くの労力を要し引戸建具の価格が非常に高いものになっている。
【図面の簡単な説明】
【００１６】
【図１】「和室の開口枠組構造に引戸建具の建て付け構造の全体図である。」
【図２】「縦枠と引戸建具両方に戸当りパッキンを取り付け、上から見た断面図である。」
【図３】「引戸建具に戸当りパッキンを取り付け、上から見た断面図である。」
【図４】「縦枠と引戸建具両方に戸当りパッキンを取り付ける時の、建具側の取り付け図である。」
【図５】「引戸建具のクリアー戸当り（涙目）の取り付け図である。」
【図６】「引戸建具のみに戸当りパッキンを取り付ける時の、建具側の取り付け図である。」
【図７】「和室側から見た縦枠の戸当りパッキン取り付け図である。」
【図８】「縦枠の戸当りパッキンタッカー箇所の取り付け図である。」
【図９】「タッカーの断面図である。」
【図１０】「縦枠と引戸建具両方に戸当りパッキンを取り付ける時の、取り付け施工図である。」
【図１１】「引戸建具のみに戸当りパッキンを取り付ける時の、取り付け施工図である。」
【図１２】「縦枠と引戸建具両方に戸当りパッキンを取り付ける時の、４枚引分け用の取り付け施工図である。」
【符号の説明】
【００１７】  １  ：  鴨居
２  ：  敷居
３  ：  縦枠
３ａ  ：  縦枠ケーシング溝（洋間側）
４  ：  縦枠側戸当りパッキン
５  ：  引戸和建具
６  ：  長尺木ネジ
７  ：  クリアー戸当り（涙目）
８  ：  引戸建具側戸当りパッキン
９  ：  襖表面紙
１０  ：  タッカー
１１  ：  両面テープ
１２  ：  関金
【図１】
0003153087.tif 000003
【図２】
0003153087.tif 000004
【図３】
0003153087.tif 000005
【図４】
0003153087.tif 000006
【図５】
0003153087.tif 000007
【図６】
0003153087.tif 000008
【図７】
0003153087.tif 000009
【図８】
0003153087.tif 000010
【図９】
0003153087.tif 000011
【図１０】
0003153087.tif 000012
【図１１】
0003153087.tif 000013
【図１２】
0003153087.tif 000014